(57)【要約】【課題】持ち運びが容易なアイロンを提供すること。【解決手段】アイロン１は、複数の蒸気孔２ｄを備え通電により加熱するホットプレート２と、蒸気を発生させ、蒸気孔２ｄから発生させた蒸気を噴出させる気化室６と、外部に配置された容器に貯留された水を気化室６に導くモータ８と、を有する。【選択図】図１
2014042723.tif 000002
【特許請求の範囲】
【請求項１】
複数の孔部を備え通電により加熱するホットプレートと、
蒸気を発生させ、前記孔部から発生させた蒸気を噴出させる蒸気発生部と、
外部に配置された容器に貯留された水を前記蒸気発生部に導くモータと、
を有することを特徴とするスチームアイロン。
【請求項２】
前記容器と前記蒸気発生部とは管で接続されており、前記モータの駆動により前記容器に貯留された水が前記管を介して前記蒸気発生部に導かれる請求項１に記載のスチームアイロン
【請求項３】
前記容器は、ペットボトルであり、該ペットボトルと前記管とはペットボトルの飲み口部分に設けられたねじ部に螺合するバルブを介して接続されている請求項２に記載のスチームアイロン。
【請求項４】
外部に配置されたバッテリーから前記モータに電力が供給される請求項１ないし３のいずれかに記載のスチームアイロン。
【請求項５】
前記モータに電力を供給する電線と前記管とが一体的に設けられている請求項４に記載のスチームアイロン。
【発明の詳細な説明】
【技術分野】
【０００１】
本発明はアイロンに関する。
【背景技術】
【０００２】
蒸気を利用して衣服のしわを取るスチームアイロンが知られている。スチームアイロンとして、例えば、蒸気発生装置をアイロン本体の外部に設け、蒸気発生装置で作られた蒸気をアイロン本体に供給して衣類等のしわ伸ばしを行うアイロン装置が知られている。
【先行技術文献】
【特許文献】
【０００３】
【特許文献１】特開平６−９８９９８号公報
【発明の概要】
【発明が解決しようとする課題】
【０００４】
しかしながら、蒸気発生装置を用いて蒸気をアイロンに導く構成の場合、蒸気発生装置の構造が大きいため、全体としての持ち運びに不便であるという問題がある。
【０００５】
１つの側面では、本発明は、持ち運びが容易なアイロンを提供することを目的とする。
【課題を解決するための手段】
【０００６】
上記目的を達成するために、開示のアイロンが提供される。このアイロンは、複数の孔部を備え通電により加熱するホットプレートと、蒸気を発生させ、孔部から発生させた蒸気を噴出させる蒸気発生部と、外部に配置された容器に貯留された水を蒸気発生部に導くモータと、を有する。
【発明の効果】
【０００７】
１態様では、持ち運びを容易にすることができる。
【図面の簡単な説明】
【０００８】
【図１】実施の形態のアイロンを示す図である。
【図２】アイロンの平面図である。
【図３】スイッチの位置を説明する図である。
【図４】アイロンを収納する場合の一例を示す図である。
【発明を実施するための形態】
【０００９】
以下、実施の形態のアイロンを、図面を参照して詳細に説明する。
＜実施の形態＞
図１は、実施の形態のアイロンを示す図である。
【００１０】
図１（ａ）は、実施の形態のアイロン１の平面図であり、図１（ｂ）は、アイロン１の側面図である。
【００１１】
本実施例のアイロン１は、ホットプレート２と筐体３とハンドル４とを有している。
ホットプレート２は、先端部２ａから後部２ｂに向かって所定の肉厚を有するデルタ状をなし、頂部２ｃから後部２ｂに向かって所定の肉厚を有するテーパ状をなしている。
【００１２】
先端部２ａにはＵ字状の凹部２ａ１が形成されており、例えばＹシャツのボタンの周りをプレスし易いようになっている。
【００１３】
ホットプレート２は、例えば酸化マグネシウムで形成されている。ホットプレート２は、筐体３の上側に設けられたスイッチ５がＯＮすることにより加熱される。本実施の形態では、温度は一定であるが、可変となるようになっていてもよい。
【００１４】
図２は、アイロンの平面図である。
図２は、ホットプレート２側（かけ面側）から見た図である。ホットプレート２には、スチームを噴射する複数の蒸気孔２ｄが開口している。この蒸気孔２ｄを介して筐体３内に設けられた気化室で発生する蒸気が外部に噴出する。なお、蒸気孔２ｄの数および位置は図示のものに限定されない。
再び図１に戻って説明する。
【００１５】
スイッチ５は、使用者がハンドル４を把持したときに親指で操作し易い位置に配置されている。スイッチ５は、例えば電源ＯＦＦ、アイロン使用（スチームなし）、アイロン使用（スチームあり）の３段階に切り替えることができる。スイッチ５は、その位置に応じてそれぞれの段階が容易に視認できるようになっている。
【００１６】
図３は、スイッチの位置を説明する図である。
図３（ａ）は、電源ＯＦＦ時のスイッチ５の位置を示している。電源ＯＦＦ時にはスイッチ５とスイッチ枠５ａとに囲まれた領域５ｂに筐体３の色と同じ色が表示される。図３（ｂ）は、アイロン使用（スチームなし）選択時のスイッチ５の位置を示している。アイロン使用（スチームなし）選択時には、スイッチ５と図３中左側のスイッチ枠５ａとに囲まれた領域５ｃに筐体３の色と同じ色が表示される。スイッチ５と図３中右側のスイッチ枠５ａとに囲まれた領域５ｄにアイロン使用時を示すオリジナル色（例えば赤色）が表示される。図３（ｃ）は、アイロン使用（スチームあり）選択時のスイッチ５の位置を示している。アイロン使用時（スチームあり）にはスイッチ５とスイッチ枠５ａとに囲まれた領域５ｅにスチーム使用時を示すオリジナル色およびアイロン使用時を示すオリジナル色が表示される。
再び図１に戻って説明する。
【００１７】
筐体３の内部には、内部にヒータが埋設され且つスチームを発生させる気化室６と、ヒータの温度等を制御する制御部７が収容されている。気化室６は、例えばアルミニウム等、熱伝導性の高い金属材料で構成されている。
【００１８】
ハンドル４は樹脂で構成されており、環状をなしている。ハンドル４の使用者が把持するグリップ部４ａ、４ｂにはドット状の滑り止めパターンが設けられている。ハンドル４は、２箇所で筐体３に溶接されている。図１（ｂ）においてハンドル４の上側は、側面視で筐体３の斜面３ａに沿って取り付けられている。また、ハンドル４の下側は、ホットプレート２の接地面とほぼ並行になっている。このようにハンドル４が環状をなし、２箇所で支持されている。これによりアイロン１は、片持ち梁のハンドルのアイロンと比較して、プレスする力が加え易いので、プレス時の安定性がよく、圧力をプレス対象物（例えば衣服等）に効率的に伝えられる。具体的には、アイロン１の使用時には、使用者はハンドル４のグリップ部４ａを握ってアイロン本体１を操作し、プレス対象物をプレスする。例えば、アイロン台と垂直方向に力を入れながらアイロン１をアイロン台と水平方向に動かす場合には、使用者はグリップ部４ａを把持してアイロン１を操作すれば、使用者が希望する圧力でアイロンを掛けることができる。
【００１９】
また、アイロン台と水平方向にアイロン１を動かす場合には、使用者はグリップ部４ｂを把持してアイロン１を操作すれば、使用者が希望する圧力でアイロンを掛けることができる。
【００２０】
このハンドル４の内部には、アイロン１の外部にあるボトル（容器）に貯留された水を気化室６に送り込むモータ８が配置されている。モータ８にはホースが接続されており、小型ポンプとしての役割を果たす。モータ８は例えばＤＣモータである。
【００２１】
アイロン１には、ケーブル９が接続されている。ケーブル９は、螺旋状をなしており、内部には電力をアイロン１に供給する電線９ａと、ホースに接続された管９ｂとを有している。ケーブル９は、ハンドル４の内周に沿って配置されており、図１（ｂ）中、ハンドルの右下側の端部（後方側）から外部に露出している。これにより、ケーブル９に付着した汚れがプレス対象物に付着することを抑制することができる。また、利用者がハンドル４を把持する場合、ケーブル９が邪魔になることを抑制することができる。
【００２２】
ケーブル９は、アイロン１側から見て途中から二叉に分かれる。電線９ａは後述するバッテリー（Battery）に接続されている。管９ｂはボトル（例えばペットボトル）の飲み口部分に螺合可能なバルブ１０に接続されている。
【００２３】
なお、本実施の形態ではバッテリーからアイロン１に電流を供給するようにしたが、電線がコンセントプラグに接続され、コンセントからアイロン本体１に電流を供給するようにしてもよい。
次に、アイロン１の使用時の動作を説明する。
【００２４】
使用者がアイロン１のスイッチ５を電源ＯＦＦからアイロン使用（スチームなし）に動かすと、制御部７は、バッテリーに蓄電されている電力を気化室６に設けられたヒータに供給する。これによりヒータが加熱し、ホットプレート２の温度が上昇する。アイロン１には、サーミスタ等の温度検出手段が設けられ、制御部７は、温度検出手段が一定以上の温度を検出すると、ヒータの加熱を停止する。これによりホットプレート２の温度が下降する。
【００２５】
使用者がスイッチ５をアイロン使用（スチーム有り）に動かすと、制御部７は、バッテリーの電力を気化室６のヒータおよびモータ８に供給する。これにより、気化室６のヒータが加熱する。また、モータ８は駆動を開始し、管９ｂの端部に接続されたバルブ１０を介してボトルに入れられた水を、ホースを介して気化室６に導く。ヒータで気化室６の内部が熱せられることにより、気化室６でスチームが発生する。気化室６で発生したスチームは、気化室６から図示しない通路を経て小部屋で分岐されて蒸気孔２ｄから噴射される。なお、気化室６には逆止弁が設けられ、一度気化室６に流入した水が管９ｂ側に流れ出ないようになっているのが好ましい。
【００２６】
図４は、アイロンを収納する場合の一例を示す図である。
利用者が着用するウエストホルダ１１には、アイロン１を保持するアイロンホルダ１１ａと、ボトル１２を保持するボトルホルダ１１ｂと、バッテリー１３を保持するバッテリーホルダ１１ｃとが設けられている。
【００２７】
アイロン１がアイロンホルダ１１ａに収容されたときにホットプレート２が接触するアイロンホルダ１１ａの部分には、断熱処理が施されている。これにより、利用者がアイロン１を使用した直後にアイロン１をアイロンホルダ１１ａに挿入しても火傷を抑制することができる。
【００２８】
ボトルホルダ１１ｂには例えば５００ｍｌ入りのペットボトル１２を上向きまたは下向きに収容することができる。
【００２９】
なお、本実施の形態では、電線９ａを用いてアイロン１に電力を供給するようにしたが、これに限らず、アイロン１側に小型の蓄電池を配置し、アイロンホルダ１１ａにアイロン１が収容される度にバッテリー１３から蓄電池を充電するようにしてもよい。
【００３０】
以上述べたように、アイロン１によれば、アイロン１がモータ８を備え、タンクより容量を大きくできるボトルから水をアイロン１に導くようにした。これにより、アイロンの外部にコンプレッサを設けて水へ圧力を加えてアイロンに水を導く構造に比べ構造を簡易なものとすることができる。また、アイロン本体にタンクを備える構造に比べ、水の補給回数を減らすことができる。
【００３１】
また、アイロン１自体に大規模なタンクを備えていないのでアイロン１自体は比較的軽量になる。これにより、長時間アイロンを利用しても体にかかる負担を軽減することができる。
【００３２】
また、スチームボタンを押すことによりスチーム噴射させるアイロンに比べ使用者の肉体的な負荷を軽減することができる。
【００３３】
また、アイロンにタンクが設けられ、タンクに給水するアイロンの場合、アイロンのかけ方によってはタンクから水が漏れる場合がある。アイロン１によれば、タンクが外部に露出していないのでアイロン１から水が漏れることを抑制することができる。
【００３４】
また、使用者はアイロン１、ボトル１２、およびバッテリー１３を収容するウエストホルダ１１を着用することにより、テーブル等が周りにない場合でも使用者は屈伸運動をせずにアイロン１を収容することができる。これにより使用者の肉体的な負荷を軽減することができる。
【００３５】
以上、本発明のアイロンを、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【符号の説明】
【００３６】
１  アイロン
２  ホットプレート
２ａ  先端部
２ｂ  後部
２ｃ  頂部
２ｄ  蒸気孔
３  筐体
４  ハンドル
４ａ、４ｂ  グリップ部
５  スイッチ
５ａ  スイッチ枠
５ｂ、５ｃ、５ｄ  領域
６  気化室
７  制御部
８  モータ
９  ケーブル
９ａ  電線
９ｂ  管
１０  バルブ
１１  ウエストホルダ
１１ａ  アイロンホルダ
１１ｂ  ボトルホルダ
１１ｃ  バッテリーホルダ
１２  ボトル
１３  バッテリー
【図１】
2014042723.tif 000003
【図２】
2014042723.tif 000004
【図３】
2014042723.tif 000005
【図４】
2014042723.tif 000006